(57)【要約】  【課題】  再生時に表示される静止画像が切り換わる時点の位置情報を迅速に表示し、ディスク評価者の負担を大幅に軽減できるディスクの静止画切換位置検索装置を提供する。【解決手段】  ユーザーデータエリヤに記録された動画や静止画を含むビデオデータに関する管理情報を管理エリヤに記録したディスク１から記録情報を読み取る読取手段４と、この読取手段４で読み取られた管理情報を受けて、前記ビデオデータのタイトル情報を取得し、各タイトルを構成するセル情報における先頭ビデオオブジェクトユニットのアドレスデータから、前記ビデオデータに静止画情報が含まれているか否かを判別する判別手段９と、前記静止画情報が含まれていると、前記管理情報から当該静止画情報の再生位置時間の情報を取得し、かつ、表示手段１７を制御して表示画面に各静止画情報のタイトル番号およびその切換位置の時間を表示させる制御手段１６と、を備えた。【選択図】      図  １
2007080329.tif 000002
【特許請求の範囲】
【請求項１】
ユーザーデータエリヤに記録された動画や静止画を含むビデオデータに関する管理情報を管理エリヤに記録したディスクから記録情報を読み取る読取手段と、
この読取手段で読み取られた管理情報を受けて、前記ビデオデータのタイトル情報を取得し、各タイトルを構成するセル情報における先頭ビデオオブジェクトユニットのアドレスデータから、前記ビデオデータに静止画情報が含まれているか否かを判別する判別手段と、
前記静止画情報が含まれていると、前記管理情報から当該静止画情報の再生位置時間の情報を取得し、かつ、表示手段を制御して表示画面に各静止画情報のタイトル番号およびその切換位置の時間を表示させる制御手段と、を備えたディスクの静止画切換位置検索装置。
【請求項２】
前記制御手段が、タイムサーチ指令を受けると、前記静止画情報の再生位置時間の情報に基づき、前記タイムサーチ時間が指定する静止画情報の直前の画像情報から再生を開始して、前記表示画面に静止画像を順次表示させることを特徴とする請求項１に記載のディスクの静止画切換位置検索装置。
【請求項３】
前記制御手段が、ＡＢリピート再生指令を受けると、前記静止画情報の再生位置時間の情報に基づき、前記ＡＢリピート位置のＡ点に対応する静止画情報の直前の画像情報から再生を開始して、前記表示画面に静止画像を順次表示させることを特徴とする請求項１に記載のディスクの静止画切換位置検索装置。
【請求項４】
前記制御手段が、リジューム再生指令を受けると、前記静止画情報の再生位置時間の情報に基づき、再生が停止された時点に対応する静止画情報の直前の画像情報から再生を開始して、前記表示画面に静止画像を順次表示させることを特徴とする請求項１に記載のディスクの静止画切換位置検索装置。
【発明の詳細な説明】
【技術分野】
【０００１】
本発明は、ＤＶＤ(Digital Versatile Disc)等のディスクにデータを記録／再生するディスク装置に係り、特に、静止画表示における不具合箇所の位置情報を簡便に解析し得るディスクの静止画切換位置検索装置に関する。
【背景技術】
【０００２】
動画や静止画を記録する多用途ディスクは、映像・音声情報の記録内容に応じて記録態様も異なるため、再生画像に不具合が生じることがあり、各種の提案がなされている。
例えば、変化に富んだ再生が可能な情報記録媒体におけるスキャン再生等の多種の再生態様に対応し、記録情報を正確かつスムーズに再生することができるように情報を記録する記録装置および当該情報を再生する再生装置が知られている。
このものは、動画および静止画を含みつつ復調された復調信号Ｓｄｍからシステムバッファにより分離されるＤＳＩ（Data Search Information、検索制御）データに含まれるＶＯＢ（Video Object）ユニットサーチ情報中の、実際に指定された再生時刻に再生されるべき映像情報を示す存在情報に基づいて、システムコントローラが再生制御を行う。
そして、指定された再生時刻に再生されるべき映像データと当該再生時刻に再生されるべき音声データとがＤＶＤ上の異なる位置に記録されていても、映像と音声を対応させて正確に再生可能となっている。
【特許文献１】特開平９−２５９５４２号公報また、複数の静止画像情報を取り扱うための記録フォーマットと、管理情報のデータ構造を得ることを目的とした静止画像連続情報記録方式および情報再生装置が知られている。このものは、少なくとも静止画像情報の記録および再生が可能な情報記録媒体において、１枚の静止画像情報を有する第１の情報記録単位（ＶＯＢＵ１６４１〜１６４９）と、この第１の情報記録単位の集合体により構成され、複数の異なる内容の静止画像情報を有する第１のグループ単位（ＶＯＢ１６３２〜１６３４ないしＰＴＴ１４０７、１４０８）を有するとともに、この第１のグループ単位で情報を記録するようになっている。
【特許文献２】特開２０００−３２３７８号公報また、静止画像情報の管理システムを改善することを目的とした静止画像情報の管理システムが提案されている。この管理システムには、１以上の静止画で構成されるビデオオブジェクトのグループおよびその制御情報を記録する情報媒体が用いられる。前記制御情報は、静止画の再生単位を管理する静止画セル情報を含み、この静止画セル情報は、１以上の静止画の再生単位に対応した１以上の静止画セルエントリポイント情報と、１以上の静止画の再生単位に関係した静止画セル一般情報とを含んでいる。そして、この静止画セル一般情報内に、特定の静止画のビデオオブジェクトに対応したエントリ番号情報を記述するようになっている。
【特許文献３】特開２００２−２０９１７６号公報さらに、複数の静止画情報の取り扱いといったディジタル情報の管理システムを改善することを目的とした映像情報を含むディジタル情報の管理システムが知られている。このものは、管理システムに用いられるＤＶＤ等の情報記録媒体が、所定の制御情報およびオブジェクト情報を記録可能になっている。そして、このＤＶＤは、１以上の静止画で構成される静止画ビデオオブジェクトのグループと所定の付加オーディオ情報を記録するようになっている。前記制御情報については、静止画ビデオオブジェクトを管理する静止画ＡＶファイル情報を含み、この静止画ＡＶファイル情報が前記静止画ビデオオブジェクトのグループ情報を含み、この静止画ビデオオブジェクトのグループ情報が静止画ビデオオブジェクトのエントリ情報を含んでいる。また、この静止画ビデオオブジェクトのエントリ情報が、前記付加オーディオ情報のグループ番号を示す付加オーディオグループ番号情報と、付加オーディオ情報のエントリ番号を示す付加オーディオエントリ番号情報とを含むように構成され、静止画ビデオオブジェクト内には、副映像情報を含む副映像ストリームを記録可能となっている。これにより、ＤＶＤビデオとある程度の互換性・継続性を確保したＤＶＤ＿ＲＴＲ（相変化を利用した光ディスク）の録画／再生システムでは、動画と静止画との間で記録フォーマットおよび管理情報の一貫性あるいは継続性を確保しながら、複数の静止画情報を取り扱うので、ディジタル情報の保護および仮消去の管理ができるというものである。
【特許文献４】特開２００３−１９９０５１号公報ところで、普及型のＤＶＤは、動画情報、静止画情報および音声情報をランダムに記録可能となっているが、製作会社により記録トラックのデータ構造が若干異なっている。このため、動画情報と静止画情報を記録した後、タイムサーチ等によって所望の静止画を再生指定してモニタの画面に表示させたり、スライドショーで静止画を順次再生させる際、静止画像が切り換わらないことがあった。そこで、評価者がＤＶＤプレイヤーに検査モードを設定し、当該ＤＶＤの不具合箇所をチェックした後、その原因を解析するようにしていた。この検査モードでは、ユーザーデータエリヤに記録された静止画情報のピクチャデータを構成するタイトル毎に記録されたアドレス情報を時間データに変換し、モニタの画面に各静止画像の位置を時間で表示するようにしている。すなわち、この検査モードを実行させると、ＤＶＤプレイヤーの制御部がＤＶＤの記録画像を最初から再生させるとともに、アドレス情報を時間データに変換して、モニタの画面に各静止画のタイトルとその記録位置を示す時間を順次表示させる。評価者は、この表示画像を見ながら静止画像が切り換らない時点をチェックしていた。
【発明の開示】
【発明が解決しようとする課題】
【０００３】
しかしながら、このような検査方式は、評価者がモニタの画面で表示画像を最初から見続け、静止画像が切り換らない時点を知るものであるため、ディスク１枚の解析に長時間を要し、評価者にとって相当な負担となっていた。
上記特許文献１〜４の各発明は、それぞれ静止画情報の取り扱いを改善することを目的としているが、前述の如く予め記録した画像情報の再生時に静止画像が切り換らない問題を解析するものではないため、静止画再生時における不具合箇所のチェックを簡便に行える技術が待たれていた。
本発明は、上記課題に鑑みてなされたもので、再生時に表示される静止画像が切り換わる時点の位置情報を迅速に表示し、ディスク評価者の負担を大幅に軽減できるディスクの静止画切換位置検索装置を提供することを目的としている。                 
【課題を解決するための手段】
【０００４】
上記目的を達成するため、本発明によるディスクの静止画解析装置は、ユーザーデータエリヤに記録された動画や静止画を含むビデオデータに関する管理情報を管理エリヤに記録したディスクから記録情報を読み取る読取手段と、この読取手段で読み取られた管理情報を受けて、前記ビデオデータのタイトル情報を取得し、各タイトルを構成するセル情報における先頭ビデオオブジェクトユニットのアドレスデータから、前記ビデオデータに静止画情報が含まれているか否かを判別する判別手段と、前記静止画情報が含まれていると、前記管理情報から当該静止画情報の再生位置時間の情報を取得し、かつ、表示手段を制御して表示画面に各静止画情報のタイトル番号およびその切換位置の時間を表示させる制御手段と、を備えたことを特徴としている。
また、前記制御手段が、タイムサーチ指令を受けると、前記静止画情報の再生位置時間の情報に基づき、前記タイムサーチ時間が指定する静止画情報の直前の画像情報から再生を開始して、前記表示画面に静止画像を順次表示させることを特徴としている。
また、前記制御手段が、ＡＢリピート再生指令を受けると、前記静止画情報の再生位置時間の情報に基づき、前記ＡＢリピート位置のＡ点に対応する静止画情報の直前の画像情報から再生を開始して、前記表示画面に静止画像を順次表示させることを特徴としている。
また、前記制御手段が、リジューム再生指令を受けると、前記静止画情報の再生位置時間の情報に基づき、再生が停止された時点に対応する静止画情報の直前の画像情報から再生を開始して、前記表示画面に静止画像を順次表示させることを特徴としている。
【発明の効果】
【０００５】
以上説明したように、本発明によるディスクの静止画解析装置は、ユーザーデータエリヤに記録されたビデオデータに静止画情報が含まれていると、表示手段を制御して表示画面に各静止画情報のタイトル番号およびその切換位置の時間を表示させるので、従来のように、表示画面に静止画像を表示させながら、その静止画像が切り換わらない時点の位置情報をチェックする必要がなくなり、静止画表示における不具合箇所を簡便に解析できる効果がある。
また、タイムサーチ指令を受けると、そのタイムサーチ時間が指定する静止画情報の直前の画像情報から再生を開始して表示画面に静止画像を順次表示させるから、タイムサーチにおける静止画像の切り換え不能箇所を迅速にチェックすることができる利点がある。
また、ＡＢリピート再生指令を受けると、そのＡＢリピート位置のＡ点に対応する静止画情報の直前の画像情報から再生を開始して表示画面に静止画像を順次表示させるから、ＡＢリピート再生における静止画像の切り換え不能箇所を迅速にチェックすることができる利点がある。
また、リジューム再生指令を受けると、再生が停止された時点に対応する静止画情報の直前の画像情報から再生を開始して表示画面に静止画像を順次表示させるから、リジューム再生における静止画像の切り換え不能箇所を迅速にチェックすることができる利点がある。
【発明を実施するための最良の形態】
【０００６】
以下、本発明に係るディスクの静止画切換位置検索装置の実施形態について、図面を参照しながら詳述する。
図１は本発明の一実施形態であるディスクの静止画切換位置検索装置の電気的構成を示すブロック線図である。
本実施形態の装置は、ＤＶＤレコーダーに適用されたもので、リモコン (リモートコントローラ) ２２の押キー操作によりＤＶＤ１の記録情報を再生し、また、外部入力の情報をＤＶＤ１に記録させる構成になっている。なお、本例では、再生機能を主体に説明する。
図１において、２はＤＶＤ１を載置するディスクトレイであり、ディスクモータ３によって回転駆動される。また、４は光ピックアップであり、ＤＶＤ１のトラックから光学的に読み取った再生情報をＲＦアンプ５に出力する。
このＲＦアンプ５は、再生情報を信号処理部であるＤＳＰ（Digital Signal Processor）６とサーボ制御部７とに送出する。このサーボ制御部７の出力は、ＤＳＰ６に導かれている。
これらＲＦアンプ５、ＤＳＰ６およびサーボ制御部７等は、ＤＶＤ１から情報を再生するマイクロコンピュータ（以下、フロントエンドマイコン：ＦＥと称する）９によって制御されるようになっている。
このフロントエンドマイコン９は、バッファを備えており、光ピックアップ４で読み取られた管理情報を記憶する。
そして、後述のバックエンドマイコン１６からアクセスがあると、要求に応じた管理情報を出力する。
また、このフロントエンドマイコン９は、光ピックアップ４で読み取られた管理情報を受けて、ＤＶＤ１に記録されたビデオデータのタイトル情報を取得する。そして、各タイトルを構成するセル情報における先頭ビデオオブジェクトユニット（ＶＯＢＵ）のアドレスデータから、ビデオデータに静止画情報が含まれているか否かを判別するようになっている。
ＤＳＰ６には、トラックバッファＲＡＭ８が接続されており、ＲＦアンプ５によって増幅され、ＤＶＤ規格に従いデコードされたデータ（但し、ここでは、ＭＰＥＧ：Motion Picture Expert Groupにより圧縮されている）を一旦格納するようになっている。
また、このＤＳＰ６は、ＡＶ（Audio/Video）デコーダ１２を介してビデオエンコーダ１３とＤ／Ａコンバータ１４とに接続されている。
サーボ制御部７は、フロントエンドマイコン９からＤＳＰ６を介して送受信されるコマンドや制御データに従い、光ピックアップ４に対するフォーカシングサーボやトラッキングサーボのサーボ制御を行う。
また、光ピックアップ４をＤＶＤ１の半径方向に移動させるスレッドモーター１０の制御や、ディスクトレイ２を駆動するトレイモーター１１の制御を行う構成となっている。
ＡＶデコーダ１２は、ＤＶＤ１から再生された各種情報を出力する動作制御を行うマイクロコンピュータ（以下、バックエンドマイコン：ＢＥと称する）１６に接続されている。
このＡＶデコーダ１２は、トラックバッファＲＡＭ８から読み出されたＭＰＥＧによる圧縮データを伸長するようになっている。
なお、このＡＶデコーダ１２には、ＡＶデコードＲＡＭ１５が接続されており、前述のように伸長されるディジタルデータのうち数画面分を格納するようになっている。
ビデオエンコーダ１３は、ＡＶデコーダ１２からのビデオデータをエンコードし、出力端子１３ａを介して図示省略したモニタ側に送出する。
また、Ｄ／Ａコンバータ１４は、ＡＶデコーダ１２からのオーディオデータをアナログ信号に変換し、出力端子１４ａを介して図示省略したスピーカ側に送出する。
前記バックエンドマイコン１６は、ワークＲＡＭ１６ａを備えている。このワークＲＡＭ１６ａは、ユーザーデータエリヤのトラックに割り当てたアドレスに対応した時間データ等を記憶する。
このバックエンドマイコン１６は、フロントエンドマイコン９からの情報を受けて、ＤＶＤ１に記録された静止画情報の記録位置に関するタイムマップテーブル（ＴＭＡＰＴ）を検索する処理を実行する。
このときは、ビデオタイトルデータの記録位置に関した管理情報を取得し、各静止画情報の切換ポイントを検索するようになっている。
また、バックエンドマイコン１６には、フロントパネルコントローラ１８が接続されている。このフロントパネルコントローラ１８は、ＬＣＤ等からなるフロントパネル１９の制御を行うもので、キー入力部２０の出力や、リモコン２２からの赤外線送信信号を受ける受信部２１の出力が導かれている。
さらに、バックエンドマイコン１６には、ＯＳＤ（On Screen Display）回路１７が接続されている。
このＯＳＤ回路１７は、出力がビデオエンコーダ１３側に接続されており、バックエンドマイコン１６の表示制御に基づいてＯＳＤ信号を出力し、図１０  に示すモニタ２３の画面２３ａにメニューや静止画情報の切換位置時間等を表示させる。
このときは、バックエンドマイコン１６が、再生位置時間の情報を時間データに変換処理してＯＳＤ回路１７に出力すると、このＯＳＤ回路１７が「時、分、秒」単位のデータをモニタ２３側に送出し、その画面２３ａに各タイトル番号とともに静止画情報の切換位置の時間を表示させるようになっている。
リモコン２２は、各種操作キーを備えている。この操作キーとしては、電源オン・オフ用のパワーキー、トレイ開閉用の開閉キー、テンキー、メニューキーおよび設定用の決定キー等を設けている。
また、タイムサーチキー、ＡＢリピートキーおよびリジューム再生キー等も備えている。
さらに、プレイ、ストップ、早送り、早戻しキー等の各種機能キーを備えている。なお、この機能キーは、モニタ２３の画面２３ａに表示されるメニュー項目を選択するカーソルキーを兼ねている。
メニューキーは、モニタ２３の画面２３ａにメニュー（MENU）の項目を表示させる指令を出力する。このメニュー項目の一つには、「静止画切換位置の時間表示」が含まれている。
この「静止画切換位置の時間表示」が選択されると、その表示モードに移行し、メインデータが動画から静止画に切り換るポイントを示す後述のＶＯＢＵデータにより、前述の如く静止画の切換位置を時間で表示させる。
また、この静止画情報の切換位置表示モードにおいて、前記タイムサーチキー、ＡＢリピートキーまたはリジューム再生キーを選択操作すると、タイムサーチモード、ＡＢリピートモードおよびリジューム再生モードの各モードを指令可能となっている。
次に、ディスクの一例としてＤＶＤについて説明する。
このＤＶＤ１は、記録トラックが内周から始まって外周へと螺旋状に設けられており、図２（ａ）に示すように、リードインエリヤ、ユーザーデータエリヤおよびリードアウトエリヤを有している。
ユーザーデータエリヤは、内周側をアドレス“０”として外周側へ順次大きな値になるよう設定している。
そして、このユーザーデータエリヤに、動画や静止画および音声情報からなるオーディオ・ビデオデータ（ＡＶデータ）を記録するときは、連続したＡＶデータに対して連続するアドレスが付加される。
なお、このアドレスについては、ビデオデータの各タイトル（ビデオタイトルデータ）の記録開始位置からの経過時間情報に対応させたアドレス番号データで記録されるようになっている。
よって、このアドレス番号データが読み出されると、トラックのユーザーデータエリヤに記録された動画や静止画等の各タイトル番号(例えば、タイトル番号１：TT１)の記録開始および終了位置、さらに、詳細な記録時間等をモニタ２３の画面２３ａに表示可能である。
このユーザーデータエリヤにおいては、図２（ｂ）に示す如くコンピュータデータエリヤの間に、ＡＶデータエリヤが設けられ、このエリヤに前述のＡＶデータが最小のセクタ単位で記録される。
このセクタは、セクタ同士の境界を示す同期信号と、そのセクタのトラック上における位置を示すセクタアドレスと、メインデータによって構成される。
【０００７】
また、このユーザーデータエリヤに記録される全情報は、ファイル単位となっている。各データファイル間の関係は、ディレクトリ構造により管理されている。
つまり、図２（ｃ）に示すように、コンテンツ（内容）毎に分類した情報の集まり（グループ）を意味するビデオオブジェクト、ピクチャオブジェクト、オーディオオブジェクトおよびサムネールオブジェクト等は、１個のＡＶファイルとしてユーザーデータエリヤに記録される。
ここで、前記ビデオオブジェクトは、ビデオデータのコンテンツの録画情報、ピクチャオブジェクトは、静止画やスライド画像等の静止画情報である。
また、オーディオオブジェクトは、オーディオデータのコンテンツの録音情報である。
さらに、サムネールオブジェクトは、ビデオデータ内の見たい箇所を検索する場合、または編集時に利用されるサムネール（Thumbnail）等の縮小画像情報である。
よって、ＡＶデータエリヤに記録される全ての映像情報は、ビデオオブジェクトに含まれ、全ての音声情報は、オーディオオブジェクトに含まれ、全サムネール情報は、サムネールオブジェクトにそれぞれ含まれる。
ところで、映像情報の最小基本単位をビデオオブジェクトユニット（ＶＯＢＵ）と称し、このＶＯＢＵ内のデータは、各ＶＯＢＵの集合体として構成される。
これらのＶＯＢＵは、２０４８バイト単位のセクタ毎に分割されて記録される。そして、前記各セクタには、パック構造形式で記録がなされる。
つまり、パック毎に生の映像情報、副映像情報、音声情報、ダミー情報がそれぞれのパック形式で記録されるようになっている。
図２（ｄ）は、ピクチャオブジェクトを構成する静止画情報のＶＯＢＵのデータ構造例を示すものである。
なお、このようなＭＰＥＧの映像情報は、０．５秒刻みの所用時間でグループオブピクチャ（ＧＯＰ）と称されるグループに分け、このＧＯＰ単位で映像情報の圧縮を行っている。
そして、このＧＯＰとほぼ同じサイズでＧＯＰに同期し、ＶＯＢＵの映像情報圧縮単位が形成される。よって、１個のＶＯＢＵの長さは０．５秒前後となる。
これに対し、再生時においては、再生制御情報（パック制御情報）に再生手順が記録され、任意のＶＯＢ内の任意な範囲を指定し、任意の再生順で再生可能となっている。
よって、動画や静止画等のビデオデータを再生する場合、再生制御情報に記述された再生手順では、任意のＶＯＢ内の範囲を指定し、かつ任意の再生順で再生することができる。この再生時における映像情報の基本単位もセルと称している。
なお、映像情報再生シーケンスを示す情報は、プログラムチェーン（ＰＧＣ）により設定される。この再生シーケンスは、１個のセル指定、もしくは複数のセルのつながり情報によって記述される。
ここで、ＰＧＣは、セルの再生順序を指定した一連の再生を実行する単位を示し、セルは、各ＶＯＢ内の再生データを開始アドレスと終了アドレスで指定した再生区間を示している。
このように、再生データは、セルとして、例えば、セルAからセルNまでの再生区間で指定され、各ＰＧＣにおいてＰＧＣ情報が定義される。
すなわち、ＰＧＣ＃１は、連続する再生区間を指定したセルで構成される例を示し、その再生順序は再生モードに応じてセルの何れかより開始される。
この再生モードとしては、タイムサーチ、ＡＢリピートおよびリジューム再生が可能となっている。
前記リードインエリヤは、図２（ｂ）に示す如くエンボスデータエリヤや管理エリヤを有している。
エンボスデータエリヤには、図２（ｃ）に示すように、ディスク情報としてディスクタイプ、ディスクサイズ、記録密度、記録開始・終了位置を示す物理セクタ番号等のディスク全体に関する情報、その他１枚づつの製造に関する情報が事前に記録される。
また、管理エリヤには、メインデータに関した管理情報が記録される。メインデータがビデオデータの場合は、ビデオタイトルセットマップテーブル（略称：VTS．TMAPT）が管理情報として生成される。
そして、このVTS．TMAPTには、タイトル(TT)１からのビデオタイトルセットマップテーブル先頭アドレス（略称：VTS．TMAPT．SA）が記述される。
このVTS．TMAPT．SAは、図２（ｄ）に示す如くＮＡＶＩ．ＰＡＣＫや図示省略したＶＩＤＥＯ．ＰＡＣＫ，ＡＵＤＩＯ．ＰＡＣＫ，ＳＰＵ．ＰＡＣＫからなり、ＮＡＶＩ．ＰＡＣＫに前記動画情報または静止画情報の内容を示す情報が記録されている。
静止画情報の場合は、各静止画情報の番号やそれぞれの記録位置を示す時間情報が記録されている。
以上のように構成された普及型のＤＶＤは、製作会社により記録トラックのデータ構造が若干異なっているため、動画情報と静止画情報とを記録したような場合、静止画情報を再生させたり、スライドショーで静止画を順次再生させるとき、静止画像が切り換わって表示されないことがあった。
このため、評価者が当該ＤＶＤの不具合箇所をチェックして解析を行う必要があり、当該ＤＶＤをＤＶＤプレイヤーにセットした後、メニューで静止画切換位置の時間表示モードを実行させるようにしていた。
次に、上記ディスクの静止画切換位置検索装置の動作について、図を参照しつつ説明する。
図３は、ディスクの静止画切換位置検索装置の動作を説明するフローチャートである。
まず、評価者がディスクをチェックする場合、評価対象のＤＶＤ１をＤＶＤレコーダーのトレイにセットしておく。
そして、リモコン２２を操作し、メニューキーによりメニューをモニタ２３の画面２３ａに表示させ、メニュー項目のうち「静止画切換位置の時間表示」を選択する。
これに伴い、マイコン９および１６が、静止画切換位置の時間表示モードに移行し、静止画位置情報の取得処理を開始する（ステップＳ１１）。
まず、フロントエンドマイコン９が光学系を動作させ、光ピックアップ４にＤＶＤ１のリードインエリヤより管理情報を読み取らせて、バッファに記憶させる。
そして、最初に静止画情報を含むビデオデータに関したタイトル全般のタイトル情報を取得する（ステップＳ１２）。
つぎに、このタイトル情報から各タイトルを構成するセル情報を取得する（ステップＳ１３）。
続いて、このセル情報からビデオデータを記録する各セルの位置が記述された先頭ＶＯＢＵアドレス（VTS．TMAPT．SA）を取得する（ステップＳ１４）。
この後、この先頭ＶＯＢＵアドレスからＶＯＢＵデータを取得する（ステップＳ１５）。
そして、このＶＯＢＵデータに、静止画に関した情報が含まれているか否かを判別する（ステップＳ１６）。
ここで、静止画情報が含まれているときは、現再生位置時間の情報を取得し（ステップＳ１７）、バッファに記憶する（ステップＳ１８）。
次いで、全セルを検索したか否かを判別し（ステップＳ１９）、未だ検索を終了していなければ、今回検索したセル番号をカウントアップする（ステップＳ２０）。そして、ステップＳ１３に進み、再びセル情報を取得する。
一方、ステップＳ１９で全セルの検索を終了したと判別したときは、全タイトルを検索したか否かを判別し（ステップＳ２１）、未だ検索を終了していなければ、今回検索したタイトル番号をカウントアップする（ステップＳ２２）。
そして、ステップＳ１２に進み、再びタイトル情報を取得する。
一方、ステップＳ２１で全タイトルの検索を終了したと判別したときは、バッファの情報を読み出し、ＯＳＤ回路１７からＯＳＤ信号を出力させ、モニタ２３の画面２３ａに静止画位置情報を表示させてから動作を終了する。
この静止画位置情報は、図４に示すように、静止画のインフォメーションとして、各タイトル番号におけるプログラムチェーン毎の静止画位置（切換時点）を「時、分、秒」単位で表示する。
例えば、タイトル番号１における静止画が１時間３５分までの間に１２個有ると、“TT1：ＰＧＣ：１／００：００：００”〜“TT1：ＰＧＣ：１／０１：３５：００”のように表示される。
この後、評価者は、前記各時間を指定してＤＶＤ１を再生させることにより、静止画像が切り換わるときに支障なく表示されるか否かを判別する。そして、切り換わらない不具合箇所があれば、その時点を解析する。
以上のように、評価者が静止画情報の切換位置表示モードを選択すると、モニタ２３の画面２３ａに複数画像の時間が表示される。このときは、ＤＶＤ１を再生させる必要がなく、操作時点から数秒で表示可能になるため、静止画情報の切換時点を確認する作業が容易となり、評価者の負担を軽減することができる。
なお、このＤＶＤレコーダーは、前記静止画情報の切換位置表示モード        に加えて、各種の再生モードを実行可能となっている。
この再生モードは、前述のタイムサーチ、ＡＢリピートおよびリジューム再生を含む。
リモコン２２から何れかの再生指令が発されると、バックエンドマイコン１６がフロントエンドマイコン９とともに再生系を動作させ、指令内容に応じたモードを実行する。
まず、タイムサーチ指令を受けたときは、静止画情報の再生位置時間の情報である先頭ＶＯＢＵアドレス（VTS．TMAPT．SA）のＶＯＢＵデータに基づき、タイムサーチ時間が指定する静止画情報の直前の画像情報から再生を開始させる。
これにより、モニタ２３の画面２３ａに静止画像が順次表示されるので、タイムサーチにおける静止画像の切り換え不能箇所を迅速にチェックすることができる。
つぎに、ＡＢリピート再生指令を受けたときは、VTS．TMAPT．SAのＶＯＢＵデータに基づき、ＡＢリピート位置のＡ点に対応する静止画情報の直前の画像情報から再生を開始させる。
これにより、静止画像が順次表示されるので、ＡＢリピート再生における静止画像の切り換え不能箇所を迅速にチェックすることができる。
さらに、リジューム再生指令を受けたときは、VTS．TMAPT．SAのＶＯＢＵデータに基づき、再生が停止された時点に対応する静止画情報の直前の画像情報から再生を開始させる。
これにより、静止画像が順次表示されるので、リジューム再生における静止画像の切り換え不能箇所を迅速にチェックすることができる。
なお、本装置は、上記各実施の形態に限定されず、本発明の趣旨を逸脱しない範囲で種々の変更が可能である。
【図面の簡単な説明】
【０００８】
【図１】本発明の一実施形態であるディスクの静止画切換位置検索装置の電気的構成を示すブロック線図である。
【図２】ディスクのデータ構造を示す概要説明図である。
【図３】ディスクの静止画切換位置検索処理動作を説明するためのフローチャートである。
【図４】静止画切換位置の時間を表示した画面図である。
【符号の説明】
【０００９】
１        ディスク
４        読取手段
９        判別手段
１６      制御手段
１７    表示手段
【図１】
2007080329.tif 000003
【図２】
2007080329.tif 000004
【図３】
2007080329.tif 000005
【図４】
2007080329.tif 000006